(57)【要約】      （修正有）【課題】池水質監視装置を提供する。【解決手段】支持板１と、支持板１の底部両側に設置される支持足２とを含む池水質監視装置であって、支持板１の底部の中間位置に滑動ユニットが設置され、支持板１の頂部に監視装置本体３が固定接続され、監視装置本体３の頂部に取付フレーム４が設置され、取付フレーム４の中間に太陽電池パネル５が固定接続され、支持板１の一側の外壁に止めボルト６が設置され、支持板１の一側の内部に収納ユニットが設置され、監視装置本体３の一側に固定套管７が設置され、固定套管７の内部に滑りロッド８が設置され、滑りロッド８の一側に位置限定ユニットが設置され、固定套管７の一側に接続ロッド９が設置され、接続ロッド９の一側の外壁に第１止め溝が設置されている。【選択図】図１
0003232994.tif 000002
【実用新案登録請求の範囲】
【請求項１】
支持板（１）と、支持板（１）の底部両側に設置される支持足（２）とを含む池水質監視
装置であって、前記支持板（１）の底部の中間位置に滑動ユニットが設置され、前記支持
板（１）の頂部に監視装置本体（３）が固定接続され、前記監視装置本体（３）の頂部に
取付フレーム（４）が設置され、前記取付フレーム（４）の中間に太陽電池パネル（５）
が固定接続され、前記支持板（１）の一側の外壁に止めボルト（６）が設置され、前記支
持板（１）の一側の内部に収納ユニットが設置され、前記監視装置本体（３）の一側に固
定套管（７）が設置され、前記固定套管（７）の内部に滑りロッド（８）が設置され、前
記滑りロッド（８）の一側に位置限定ユニットが設置され、前記固定套管（７）の一側に
接続ロッド（９）が設置され、前記接続ロッド（９）の一側の外壁に第１止め溝（１０）
が設置されていることを特徴とする前記池水質監視装置。
【請求項２】
前記滑動ユニットは配置溝（１１）、シリンダ（１２）、接続板（１３）およびローラ（
１４）からなり、前記配置溝（１１）は支持板（１）の底部の中間位置に開設され、前記
シリンダ（１２）は配置溝（１１）の内部に設置され、前記接続板（１３）は支持板（１
）の底部に設置され、前記シリンダ（１２）の出力軸は前記接続板（１３）の頂部に固定
接続されていることを特徴とする請求項１に記載の池水質監視装置。
【請求項３】
前記接続板（１３）の両端にそれぞれ止めブロック（１５）が設置され、前記止めブロッ
ク（１５）の中間位置にそれぞれ支持足（２）に係合する貫通穴が開設され、前記止めブ
ロック（１５）は貫通穴によって前記支持足（２）の外壁に套接されていることを特徴と
する請求項１に記載の池水質監視装置。
【請求項４】
前記収納ユニットは滑り溝（１６）およびスライダ（１７）からなり、前記滑り溝（１６
）は支持板（１）の内部に開設され、前記滑り溝（１６）の一側に開口が開設され、前記
スライダ（１７）は滑り溝（１６）の内部に設置され、前記接続ロッド（９）の一端は開
口を貫通して前記スライダ（１７）の一側の外壁に固定接続され、かつ前記止めボルト（
６）の一端は滑り溝（１６）を貫通して前記第１止め溝（１０）の内部に接触しているこ
とを特徴とする請求項１に記載の池水質監視装置。
【請求項５】
前記位置限定ユニットは第２止め溝（１８）および固定ボルト（１９）からなり、前記第
２止め溝（１８）は滑りロッド（８）の一側の内部に開設され、前記固定ボルト（１９）
は固定套管（７）の一側の外壁に設置され、前記固定ボルト（１９）の一端は固定套管（
７）の内部を貫通して前記第２止め溝（１８）の内部に接触していることを特徴とする請
求項１に記載の池水質監視装置。
【請求項６】
前記滑りロッド（８）の頂部は固定套管（７）を貫通しており、前記滑りロッド（８）の
底部に検出ヘッド（２０）が固定接続され、前記検出ヘッド（２０）は導線によって前記
監視装置本体（３）に電気接続され、かつ前記滑りロッド（８）の一側の外壁にダイヤル
（２１）が設置されていることを特徴とする請求項１に記載の池水質監視装置。
【請求項７】
さらに電力を蓄積する蓄電池と、インバータとを含み、前記蓄電池およびインバータはい
ずれも太陽電池パネル（５）の裏面に設置されていることを特徴とする請求項１に記載の
池水質監視装置。
【請求項８】
前記蓄電池およびインバータと監視装置本体（３）の間は導線によって接続されているこ
とを特徴とする請求項７に記載の池水質監視装置。
【請求項９】
前記ローラ（１４）は２個設けられ、２個の前記ローラ（１４）はそれぞれ接続板（１３
）の底部の両側に設置され、かつ前記ローラ（１４）は自在キャスターとすることを特徴
とする請求項２に記載の池水質監視装置。
【請求項１０】
前記蓄電池およびインバータの外側にそれぞれ防水透気膜が取付けられていることを特徴
とする請求項７に記載の池水質監視装置。
【考案の詳細な説明】
【技術の分野】
【０００１】
本実用新案は水質検測装置の関連技術分野に関するもので、具体的には池水質監視装置
に関する。
【従来の技術】
【０００２】
水質とは、水の品質の略称である。例えば水の色度、濁度、臭いなど物理的性質、無機物
有機物の含有量など化学的性質、細菌、微生物、プランクトン、ベントンの特性およびそ
の構造状況など生物的性質を表す。水質の状態を適切に把握するために、水質の監視工作
をおこなう必要がある。ここで、水質の監視は、水中の汚染物の種類、各種汚染物の濃度
およびその変化傾向を監視および測定し、水質状態を評価することをいう。技術的発展の
今では、水質の監視はほとんど水質監視装置を利用して実施する。
【０００３】
ところが、従来のの池水質監視装置は、自身構造の欠陥のせいで、実際のニーズによって
池内の各レベルの水質を別々監視できないため、監視装置の使用の限界となっている。
【考案の概要】
【０００４】
本実用新案の目的は、背景の技術に記載のように、従来の池水質監視装置では、自身構造
の欠陥のせいで、実際のニーズによって池内の各レベルの水質を別々監視できないため、
監視装置の使用に限界がある、という欠点を克服できる池水質監視装置を提供することに
ある。
【０００５】
上記の目的を実現するために、本実用新案は、下記の池水質監視装置を提供する。該池水
質監視装置は、支持板と、支持板の底部両側に設置される支持足とを含む池水質監視装置
であって、前記支持板の底部の中間位置に滑動ユニットが設置され、前記支持板の頂部に
監視装置本体が固定接続され、前記監視装置本体の頂部に取付フレームが設置され、前記
取付フレームの中間に太陽電池パネルが固定接続され、前記支持板の一側の外壁に止めボ
ルトが設置され、前記支持板の一側の内部に収納ユニットが設置され、前記監視装置本体
の一側に固定套管が設置され、前記固定套管の内部に滑りロッドが設置され、前記滑りロ
ッドの一側に位置限定ユニットが設置され、前記固定套管の一側に接続ロッドが設置され
、前記接続ロッドの一側の外壁に第１止め溝が設置されている。
【０００６】
前記滑動ユニットは配置溝、シリンダ、接続板およびローラからなり、前記配置溝は支持
板の底部の中間位置に開設され、前記シリンダは配置溝の内部に設置され、前記接続板は
支持板の底部に設置され、前記シリンダの出力軸は前記接続板の頂部に固定接続されてい
る。
【０００７】
前記接続板の両端にそれぞれ止めブロックが設置され、前記止めブロックの中間位置にそ
れぞれ支持足に係合する貫通穴が開設され、前記止めブロックは貫通穴によって前記支持
足の外壁に套接されている。
【０００８】
前記収納ユニットは滑り溝およびスライダからなり、前記滑り溝は支持板の内部に開設さ
れ、前記滑り溝の一側に開口が開設され、前記スライダは滑り溝の内部に設置され、前記
接続ロッドの一端は開口を貫通して前記スライダの一側の外壁に固定接続され、かつ前記
止めボルトの一端は滑り溝を貫通して前記第１止め溝の内部に接触している。
【０００９】
前記位置限定ユニットは第２止め溝および固定ボルトからなり、前記第２止め溝は滑りロ
ッドの一側の内部に開設され、前記固定ボルトは固定套管の一側の外壁に設置され、前記
固定ボルトの一端は固定套管の内部を貫通して前記第２止め溝の内部に接触している。
【００１０】
前記滑りロッドの頂部は固定套管を貫通しており、前記滑りロッドの底部に検出ヘッドが
固定接続され、前記検出ヘッドは導線によって前記監視装置本体に電気接続され、かつ前
記滑りロッドの一側の外壁にダイヤルが設置されている。
【００１１】
さらに電力を蓄積する蓄電池と、インバータとを含み、前記蓄電池およびインバータはい
ずれも太陽電池パネルの裏面に設置されている。
【００１２】
前記蓄電池およびインバータと監視装置本体の間は導線によって接続されている。
【００１３】
前記ローラは２個設けられ、２個の前記ローラはそれぞれ接続板の底部の両側に設置され
、かつ前記ローラは自在キャスターとする。
【００１４】
前記蓄電池およびインバータの外側にそれぞれ防水透気膜が取付けられている。
【００１５】
従来の技術と比べて、本実用新案の有益な効果は以下の通りである。
【００１６】
（１）本実用新案では、監視装置本体、滑りロッド、固定套管、検出ヘッド、ダイヤルお
よび位置限定ユニットを設けている。使用者によって固定ボルトを緩んで（締め外して）
、固定ボルトを第２止め溝から離すことができる。さらに実際のニーズによって滑りロッ
ドを上下移動させることができる。さらに滑りロッドによって実際のニーズによって検出
ヘッドの高度を調整することができる。さらにダイヤルによって池内の各レベルに検出ヘ
ッドを配置することができる。そして監視装置本体を起動して、本装置は各レベルの池水
を監視することができる。これによって、効果的に装置の適応性を広げる。
【００１７】
（２）本実用新案では、滑動ユニットを設けている。本装置の使用に際しては、使用者が
装置を移動したい場合は、シリンダを起動して、シリンダの出力軸によって接続板の底部
のローラを移動させることができる。ローラの底部が地面に接触するので、ローラによっ
て装置を移動するように使用者が操作することができる。それによって、装置の便利性を
向上する。
【図面の簡単な説明】
【００１８】
【図１】本実用新案の全体構成模式図。
【図２】本実用新案の全体内部構成模式図。
【図３】本実用新案の収納ユニットの構成模式図。
【図４】本実用新案の図２におけるＡ部の構成拡大模式図。
【考案を実施するための形態】
【００１９】
図１〜４に示されるように、本実用新案は池水質監視装置を提供する。該池水質監視装置
は、支持板１と、支持板１の底部両側に設置される支持足２とを含む池水質監視装置であ
って、前記支持板１の底部の中間位置に滑動ユニットが設置され、前記支持板１の頂部に
監視装置本体３が固定接続され、前記監視装置本体３の頂部に取付フレーム４が設置され
、前記取付フレーム４の中間に太陽電池パネル５が固定接続され、前記支持板１の一側の
外壁に止めボルト６が設置され、前記支持板１の一側の内部に収納ユニットが設置され、
前記監視装置本体３の一側に固定套管７が設置され、前記固定套管７の内部に滑りロッド
８が設置され、前記滑りロッド８の一側に位置限定ユニットが設置され、前記固定套管７
の一側に接続ロッドが設置され、前記接続ロッド９の一側の外壁に第１止め溝１０が設置
されている。
【００２０】
さらに、前記滑動ユニットは配置溝１１、シリンダ１２、接続板１３およびローラ１４か
らなり、前記配置溝１１は支持板１の底部の中間位置に開設され、前記シリンダ１２は配
置溝１１の内部に設置され、前記接続板１３は支持板１の底部に設置され、前記シリンダ
１２の出力軸は前記接続板１３の頂部に固定接続されている。前記ローラ１４は２個設置
されている。  
【００２１】
さらに、前記接続板１３の両端にそれぞれ止めブロック１５が設置され、前記止めブロッ
ク１５の中間位置にそれぞれ支持足２に係合する貫通穴が開設され、前記止めブロック１
５は貫通穴によって前記支持足２の外壁に套接されている。止めブロック１５を設けるこ
とにより、本装置の使用過程ではローラ１４の移動安定性を保証する。
【００２２】
さらに、前記収納ユニットは滑り溝１６およびスライダ１７からなり、前記滑り溝１６は
支持板１の内部に開設され、前記滑り溝１６の一側に開口が開設され、前記スライダ１７
は滑り溝１６の内部に設置され、前記接続ロッド９の一端は開口を貫通して前記スライダ
１７の一側の外壁に固定接続され、かつ前記止めボルト６の一端は滑り溝１６を貫通して
前記第１止め溝１０の内部に接触している。実際使用に際しては、止めボルト６を緩んで
、止めボルト６の一端を第１止め溝１０から離す。それで、接続ロッド９に連動してスラ
イダ１７が滑り溝１６内で移動することができる。これによって、滑りロッド８および固
定套管７の収納工作が容易になるので、装置の便利性をさらに向上する。
【００２３】
さらに、前記位置限定ユニットは、第２止め溝１８および固定ボルト１９からなり、前記
第２止め溝１８は滑りロッド８の一側の内部に開設され、前記固定ボルト１９は固定套管
７の一側の外壁に設置され、前記固定ボルト１９の一端は固定套管７の内部を貫通して前
記第２止め溝１８内部に抵触している。  
【００２４】
前記位置限定ユニットは第２止め溝１８および固定ボルト１９からなり、前記第２止め溝
１８は滑りロッド８の一側の内部に開設され、前記固定ボルト１９は固定套管７の一側の
外壁に設置され、前記固定ボルト１９の一端は固定套管７の内部を貫通して前記第２止め
溝１８の内部に接触している。
【００２５】
さらに、前記滑りロッド８の頂部は固定套管７を貫通しており、前記滑りロッド８の底部
に検出ヘッド２０が固定接続され、前記検出ヘッド２０は導線によって前記監視装置本体
３に電気接続され、かつ前記滑りロッド８の一側の外壁にダイヤル２１が設置されている
。
【００２６】
さらに電力を蓄積する蓄電池と、インバータとを含み、前記蓄電池およびインバータはい
ずれも太陽電池パネル５の裏面に設置されている
【００２７】
さらに、前記ローラ１４は２個設けられ、２個の前記ローラ１４はそれぞれ接続板１３の
底部の両側に設置され、かつ前記ローラ１４は自在キャスターとする。
【００２８】
さらに、前記蓄電池およびインバータと監視装置本体３の間は導線によって接続されてい
る。
【００２９】
さらに、前記蓄電池およびインバータの外側にいずれも防水透气膜が取付けられている。
【００３０】
本装置の動作原理について説明する。その実際使用に際しては、使用者によって止めボル
ト６を緩んで、止めボルト６の一端を第１止め溝１０から離す。それで接続ロッド９に連
動して固定套管７および滑りロッド８が移動する。具体的に、固定套管７および滑りロッ
ド８を池の沿岸位置まで移動させる。さらに、使用者によって固定ボルト１９を緩んで、
固定ボルト１９を第２止め溝１８から離し、実際のニーズによって滑りロッド８を上下移
動させることができる。さらに滑りロッド８によって実際のニーズによって検出ヘッド２
０の高度を調整することができる。さらにダイヤル２１によって検出ヘッド２０を池内の
各レベルに配置することができる。監視装置本体３を起動して監視装置によって各レベル
の池水を監視することができる。また、使用後、シリンダ１２を起動して、シリンダ１２
の出力軸によって接続板１３の底部のローラ１４を移動させることができる。ローラ１４
の底部が地面に接触するので、ローラ１４によって装置を移動するように使用者が操作す
ることができる。それによって、装置の便利性を向上することができる。
【符号の説明】
【００３１】
１  支持板
２  支持足
３  監視装置本体
４  取付フレーム
５  太陽電池パネル
６  止めボルト
７  固定套管
８  滑りロッド
９  接続ロッド
１０  第１止め溝
１１  配置溝
１２  シリンダ
１３  接続板
１４  ローラ
１５  止めブロック
１６  滑り溝
１７  スライダ
１８  第２止め溝
１９  固定ボルト
２０  検出ヘッド
２１  ダイヤル
【図１】
0003232994.tif 000003
【図２】
0003232994.tif 000004
【図３】
0003232994.tif 000005
【図４】
0003232994.tif 000006